(57)【要約】【課題】不揮発性で情報の書き換えが可能な可搬型の記憶媒体が複数接続された場合でも、上記記憶媒体の誤動作を抑制することができる。【解決手段】メモリカードが接続可能で、かつ接続されたメモリカードを動作させるための電力が予め供給されると共に供給された電力の停止が可能とされる複数のスロット２０と、複数のスロット２０の各々にメモリカードが接続されたか否かを検出するメモリカード検出部とを備え、ＣＰＵ３０が、メモリカード検出部によってスロット２０にメモリカードが接続されたことが検出された場合に、メモリカードが接続されたスロット２０の何れか１つのスロット２０への上記電力の供給を維持し、かつ他のスロット２０に供給された上記電力を停止するように制御する。【選択図】図２
2010076337.tif 000002
【特許請求の範囲】
【請求項１】
不揮発性で情報の書き換えが可能な可搬型の記憶媒体が接続可能で、かつ接続された前記記憶媒体を動作させるための電力が予め供給されると共に供給された電力の停止が可能とされる複数の接続手段と、
前記複数の接続手段の各々に前記記憶媒体が接続されたか否かを検出する検出手段と、
前記検出手段によって前記接続手段に前記記憶媒体が接続されたことが検出された場合に、前記記憶媒体が接続された前記接続手段の何れか１つの前記接続手段への前記電力の供給を維持し、かつ他の前記接続手段に供給された前記電力を停止するように制御する制御手段と、
を備えた電子機器。
【請求項２】
前記制御手段は、前記検出手段によって前記接続手段に前記記憶媒体が接続されたことが検出された後に、前記検出手段によって他の前記接続手段に前記記憶媒体が接続されたことが検出された場合に、先に前記検出手段によって前記記憶媒体が接続されたことが検出された何れか１つの前記接続手段への前記電力の供給を維持し、かつ後に前記検出手段によって前記記憶媒体が接続されたことが検出された他の前記接続手段に供給された前記電力を停止するように制御する請求項１記載の電子機器。
【請求項３】
前記制御手段は、前記検出手段によって前記接続手段に前記記憶媒体が接続されたことが検出された場合に、前記記憶媒体が接続された何れか１つの前記接続手段への前記電力の供給を維持し、かつ前記検出手段によって前記記憶媒体が接続されたことが検出されていない他の前記接続手段に供給された前記電力を停止するように制御する請求項１記載の電子機器。
【請求項４】
前記検出手段によって前記接続手段に前記記憶媒体が接続されたことが検出された後に、前記検出手段によって他の前記接続手段に前記記憶媒体が接続されたことが検出された場合に、警告を示す情報を報知する報知手段を更に備えた請求項１〜請求項３の何れか１項記載の電子機器。
【請求項５】
前記報知手段は、前記複数の接続手段の配置位置に隣接して配置され、前記情報に基づいた画像を表示する画像表示装置である請求項４記載の電子機器。
【請求項６】
前記報知手段は、前記情報に基づいた音声を出力する音声出力装置である請求項４記載の電子機器。
【請求項７】
請求項１〜請求項６の何れか１項記載の電子機器を備えた画像形成装置。
【発明の詳細な説明】
【技術分野】
【０００１】
本発明は、不揮発性で情報の書き換えが可能な可搬型の記憶媒体を接続可能な電子機器及び画像形成装置に関する。
【背景技術】
【０００２】
従来、可搬型の記憶媒体を挿入する挿入部への異物の混入や、当該挿入部に挿入された上記記憶媒体への接触により当該記憶媒体に誤動作が生じる場合があった。
【０００３】
この問題を解決するために、特許文献１には、画像形成装置において、上記記憶媒体が挿入される複数の挿入部を装置前面に略水平に配置し、上記複数の挿入部よりも前面側、かつ上記複数の挿入部の上方に段差部を設けると共に、挿入部の近傍にカバーで覆われたＬＥＤ（Light Emitting Diode）を配置し、当該ＬＥＤによって上記記憶媒体と画像形成装置とのアクセスの状況を報知する技術が開示されている。
【特許文献１】特開２００４−２３０６４８号公報
【発明の開示】
【発明が解決しようとする課題】
【０００４】
しかしながら、特許文献１に開示されている技術では、上記ＬＥＤが、上方に段差が設けられた上記複数の挿入部の近傍に配置されているため視認し難く、かつカバーで覆われているため輝度が低下する可能性がある。また、複数の上記記憶媒体が挿入可能とされているため、複数の上記記憶媒体が画像形成装置に接続されている場合に、画像形成装置との間でアクセス中である上記記憶媒体をアクセス中でない上記記憶媒体であると錯誤し、アクセス中である上記記憶媒体を誤って画像形成装置から取り外し、その結果、当該記憶媒体が誤動作してしまい、当該記憶媒体に記憶されている情報が破損される可能性がある、という問題点があった。
【０００５】
本発明は上記問題点を解決するためになされたものであり、不揮発性で情報の書き換えが可能な可搬型の記憶媒体が複数接続された場合でも、上記記憶媒体の誤動作を抑制することのできる電子機器及び画像形成装置を提供することを目的とする。
【課題を解決するための手段】
【０００６】
上記目的を達成するために、請求項１に記載の電子機器は、不揮発性で情報の書き換えが可能な可搬型の記憶媒体が接続可能で、かつ接続された前記記憶媒体を動作させるための電力が予め供給されると共に供給された前記電力の停止が可能とされる複数の接続手段と、前記複数の接続手段の各々に前記記憶媒体が接続されたか否かを検出する検出手段と、前記検出手段によって前記接続手段に前記記憶媒体が接続されたことが検出された場合に、前記記憶媒体が接続された前記接続手段の何れか１つの前記接続手段への前記電力の供給を維持し、かつ他の前記接続手段に供給された前記電力を停止するように制御する制御手段と、を備えている。
【０００７】
請求項１に記載の発明には、不揮発性で情報の書き換えが可能な可搬型の記憶媒体が接続可能で、かつ接続された前記記憶媒体を動作させるための電力が予め供給されると共に供給された当該電力の停止が可能とされる複数の接続手段と、前記複数の接続手段の各々に前記記憶媒体が接続されたか否かを検出する検出手段と、が備えられている。
【０００８】
なお、上記記憶媒体には、コンパクトフラッシュ（登録商標）、マイクロドライブ（登録商標）、メモリスティック（登録商標）、ＳＤカード（登録商標）、ｘＤピクチャカード（登録商標）、スマートメディア（登録商標）、フレキシブルディスク等の記憶媒体が含まれる。
【０００９】
ここで、本発明では、制御手段により、検出手段によって接続手段に上記記憶媒体が接続されたことが検出された場合に、上記記憶媒体が接続された接続手段の何れか１つの接続手段への上記電力の供給を維持し、かつ他の接続手段に供給された上記電力を停止するように制御される。
【００１０】
このように、請求項１に記載の電子機器によれば、接続手段に上記記憶媒体が接続されたことが検出された場合に、上記記憶媒体が接続された接続手段の何れか１つの接続手段への電力の供給を維持し、かつ他の接続手段に供給された電力を停止するので、複数の上記記憶媒体が接続された場合でも、上記記憶媒体の誤動作を抑制することができる。
【００１１】
また、本発明は、請求項２に記載の発明のように、前記制御手段が、前記検出手段によって前記接続手段に前記記憶媒体が接続されたことが検出された後に、前記検出手段によって他の前記接続手段に前記記憶媒体が接続されたことが検出された場合に、先に前記検出手段によって前記記憶媒体が接続されたことが検出された何れか１つの前記接続手段への前記電力の供給を維持し、かつ後に前記検出手段によって前記記憶媒体が接続されたことが検出された他の前記接続手段に供給された前記電力を停止するように制御するものとしてもよい。これにより、複数の上記記憶媒体が接続された場合でも、より確実に、上記記憶媒体の誤動作を抑制することができる。
【００１２】
また、本発明は、請求項３に記載の発明のように、前記制御手段が、前記検出手段によって前記接続手段に前記記憶媒体が接続されたことが検出された場合に、前記記憶媒体が接続された何れか１つの前記接続手段への前記電力の供給を維持し、かつ前記検出手段によって前記記憶媒体が接続されたことが検出されていない他の前記接続手段に供給された前記電力を停止するように制御するものとしてもよい。これにより、複数の上記記憶媒体が接続された場合でも、より確実に、上記記憶媒体の誤動作を抑制することができる。
【００１３】
また、本発明は、請求項４に記載の発明のように前記検出手段によって前記接続手段に前記記憶媒体が接続されたことが検出された後に、前記検出手段によって他の前記接続手段に前記記憶媒体が接続されたことが検出された場合に、警告を示す情報を報知する報知手段を更に備えたものとしてもよい。これにより、複数の記憶媒体を接続しても、先に接続した上記記憶媒体にしかアクセスすることができないことを、ユーザが容易に確認することができる。
【００１４】
特に請求項４に記載の発明では、請求項５に記載の発明のように、前記報知手段が、前記複数の接続手段の配置位置に隣接して配置され、前記情報に基づいた画像を表示する画像表示装置であるものとしてもよい。これによっても、複数の記憶媒体を接続しても、先に接続した上記記憶媒体にしかアクセスすることができないことを、ユーザが容易に確認することができる。
【００１５】
特に請求項４に記載の発明では、請求項６に記載の発明のように、前記報知手段が、前記情報に基づいた音声を出力する音声出力装置であるものとしてもよい。これによっても、複数の記憶媒体を接続しても、先に接続した上記記憶媒体にしかアクセスすることができないことを、ユーザが容易に確認することができる。
【００１６】
一方、上記目的を達成するために、請求項７に記載の画像形成装置は、請求項１〜請求項６の何れか１項記載の電子機器を備えている。
【００１７】
このように請求項７に記載の発明によれば、本発明の電子機器を備えているので、当該電子機器と同様に、複数の上記記憶媒体が接続された場合でも、上記記憶媒体の誤動作を抑制することができる。
【発明の効果】
【００１８】
以上説明した如く、本発明によれば、不揮発性で情報の書き換えが可能な可搬型の記憶媒体が複数接続された場合でも、上記記憶媒体の誤動作を抑制することができる、という優れた効果を有する。
【発明を実施するための最良の形態】
【００１９】
以下、図面を参照して、本発明の実施の形態について詳細に説明する。なお、本第１の実施の形態では、本発明を、不揮発性で情報の書き換えが可能な可搬型の記憶媒体（以下、「メモリカード」という。）が接続可能とされ、接続されたメモリカードからの情報の読み出し、及び接続されたメモリカードへの情報の書き込みを行うための複数のスロットを有する画像形成装置に適用した場合について説明する。
【００２０】
［第１の実施の形態］
まず、図１を参照して、本第１の実施の形態に係る画像形成装置１０の外観上の構成を説明する。
【００２１】
本第１の実施の形態に係る画像形成装置１０は、例えば、デジタルカメラで撮影された被写体を示す画像情報等の情報を記憶しているメモリカード１４が挿入される挿入部１８を有し、挿入部１８から挿入されたメモリカード１４と接続可能で、かつ接続されたメモリカード１４を動作させるための電力が予め供給されると共に供給された当該電力の停止が可能とされるスロット２０Ａ，２０Ｂ，２０Ｃ、画像情報により示される画像が形成される記録用紙Ｐが収容される給紙トレイ２２、画像が形成された記録用紙Ｐが排紙される排紙トレイ２４、及びスロット２０Ａ，２０Ｂ，２０Ｃの配置位置に隣接して配置され、各種の操作指示が入力される操作ボタンやテンキー、各種のメッセージ等を表示するためのディスプレイ２５が設けられた操作部２６を備えている。
【００２２】
なお、本第１の実施の形態に係る各スロット２０Ａ，２０Ｂ，２０Ｃには、各々異なる仕様かつ寸法のメモリカード１４が接続可能とされており、本第１の実施の形態に係る画像形成装置１０は、スロット２０Ａ，２０Ｂ，２０Ｃに接続されたメモリカード１４からの画像情報等の情報の読み出し、及びメモリカード１４への情報の書き込みを行う。
【００２３】
また、以下の説明において、スロット２０Ａ，２０Ｂ，２０Ｃを区別する場合は、符号の末尾に対応するＡ，Ｂ，Ｃのいずれかを付して説明し、スロット２０Ａ，２０Ｂ，２０Ｃを区別しない場合は、Ａ，Ｂ，Ｃを省略する。
【００２４】
図２に、本第１の実施の形態に係る画像形成装置１０の電気系の要部構成を示す。
【００２５】
画像形成装置１０は、画像形成装置１０全体の動作を司るＣＰＵ（Central Processing Unit）３０、各種プログラムや各種パラメータ、各種テーブル情報等が予め記憶されたＲＯＭ（Read Only Memory）３２、ＣＰＵ３０による各種プログラムの実行時のワークエリア等として用いられるＲＡＭ（Random Access Memory）３４、メモリカード１４から読み出された情報、後述する外部インタフェース３８を介して受信した画像情報等の、各種情報を記憶するＨＤＤ（Hard Disk Drive）３６を備えている。
【００２６】
また、画像形成装置１０は、外部の端末装置やデジタルカメラ等と接続され、当該端末装置やデジタルカメラ等との間で画像情報等の各種情報を送受信する外部インタフェース３８、給紙トレイ２２から記録用紙Ｐを一枚ずつ取り込み、当該記録用紙Ｐにメモリカード１４やＨＤＤ３６に記憶された画像情報により示される画像を形成した後に、画像を形成した記録用紙Ｐを排紙トレイ２４に排紙する画像形成ユニット４０と接続され、当該画像形成ユニット４０の作動を制御する画像形成制御部４２、及びスロット２０に接続されたメモリカード１４とアクセスすることで、メモリカード１４からの情報の読み出し、メモリカード１４への情報の書き込み等の処理を実行すると共に、スロット２０に接続されたメモリカード１４を動作させるための電力をスロット２０へ供給するメモリカード制御部４４を備えている。
【００２７】
これらＣＰＵ３０、ＲＯＭ３２、ＲＡＭ３４、ＨＤＤ３６、外部インタフェース３８、画像形成制御部４２、メモリカード制御部４４、及び前述した操作部２６は、システムバス４６を介して相互に電気的に接続されている。従って、ＣＰＵ３０は、ＲＯＭ３２、ＲＡＭ３４、及びＨＤＤ３６へのアクセス、外部インタフェース３８を介した上記端末装置やデジタルカメラ等との各種情報の送受信、画像形成制御部４２を介した画像形成ユニット４０の作動の制御、メモリカード制御部４４及びスロット２０を介したメモリカード１４へのアクセス、及び操作部２６に対する操作状態の把握や操作部２６による各種のメッセージ等の表示を各々行なうことができる。
【００２８】
図３に、本第１の実施の形態に係るスロット２０の断面図を示す。同図に示すように、本第１の実施の形態に係る各スロット２０は、コネクタ５０、及びメモリカード検出部５２を備えている。
【００２９】
コネクタ５０は、挿入部１８に挿入されたメモリカード１４と機械的かつ電気的に接続可能とされており、画像形成装置１０は、メモリカード１４とコネクタ５０とが接続されることで、メモリカード１４からの情報の読み出し、メモリカード１４への情報の書き込み等の処理が可能となる。また、コネクタ５０を介してメモリカード１４を動作させるための電力が、メモリカード制御部４４からメモリカード１４へ供給される。
【００３０】
一方、メモリカード検出部５２は、対応するスロット２０の各々にメモリカード１４が接続されたか否かを検出する。
【００３１】
本第１の実施の形態に係るメモリカード検出部５２は、対応するスロット２０の底面に、当該底面を中心として揺動可能に立設された押圧部材５２Ａと、当該押圧部材５２Ａが上記底面に至るまで揺動した際にその先端部によって押圧されるマイクロスイッチ５２Ｂを備えている。押圧部材５２Ａは、スロット２０が有する挿入部１８にメモリカード１４が挿入されると、メモリカード１４の外壁により押圧されて揺動し、マイクロスイッチ５２Ｂを押圧する。そして、メモリカード検出部５２は、マイクロスイッチ５２Ｂが押圧部材５２Ａによって押圧された際にスロット２０にメモリカード１４が接続されたものとして、メモリカード検出信号を出力する。
【００３２】
なお、本第１の実施の形態に係るメモリカード検出部５２は、メモリカード１４を検出している場合には、メモリカード検出信号としてハイレベルの信号をメモリカード制御部４４及びシステムバス４６を介してＣＰＵ３０へ出力する一方、メモリカード１４を検出していない場合には、メモリカード検出信号としてローレベルの信号をメモリカード制御部４４及びシステムバス４６を介してＣＰＵ３０へ出力する。但し、メモリカード検出信号の状態は、ハイレベル又はローレベルの信号に限定するものでないことは言うまでもない。
【００３３】
なお、本第１の実施の形態に係るＣＰＵ３０は、メモリカード検出部５２によってスロット２０にメモリカード１４が接続されたことが検出された場合に、メモリカード１４が接続されたスロット２０の何れか１つのスロット２０への電力の供給を維持し、かつ他のスロット２０に供給された電力を停止するように制御する電力供給制御処理を実行する。
【００３４】
本第１の実施の形態に係る電力供給制御処理は、メモリカード検出部５２によってスロット２０にメモリカード１４が接続されたことが検出された後に、メモリカード検出部５２によって他のスロット２０にメモリカード１４が接続されたことが検出された場合に、先にメモリカード検出部５２によってメモリカード１４が接続されたことが検出された何れか１つのスロット２０への電力の供給を維持させ、かつ後にメモリカード検出部５２によってメモリカード１４が接続されたことが検出された他のスロット２０に供給された電力を停止させる。
【００３５】
なお、本実施の形態に係るＣＰＵ３０は、スロット２０への電力の供給を開始する場合はメモリカード制御部４４に対して電力供給開始信号を出力し、スロット２０への電力の供給を停止する場合はメモリカード制御部４４に対して電力供給停止信号を出力する。そして、メモリカード制御部４４は、電力供給開始信号が入力されるとスロット２０に設けられたコネクタ５０への電力の供給を開始する一方、電力供給停止信号が入力されるとスロット２０に設けられたコネクタ５０への電力の供給を停止する。
【００３６】
また、本実施の形態に係るＣＰＵ３０は、電源がオンとされた後に全てのスロット２０に対する電力供給開始信号をメモリカード制御部４４へ出力し、メモリカード制御部４４は当該電力供給開始信号が入力されると全てのスロット２０に対する電力の供給を開始する。
【００３７】
また、本第１の実施の形態に係る画像形成装置１０は、メモリカード検出部５２によってスロット２０にメモリカード１４が接続されたことが検出された後に、メモリカード検出部５２によって他のスロット２０にメモリカード１４が接続されたことが検出された場合に、警告を示す情報（以下、「警告情報」という。）を報知するために、当該警告情報に基づいた画像を操作部２６に設けられたディスプレイ２５に表示させる。
【００３８】
図４に、何れか１つのスロット２０にメモリカード１４が接続された場合、及び複数のスロット２０にメモリカード１４が接続された場合にディスプレイ２５に表示される画像の一例を示す。
【００３９】
図４（Ａ）は、一例として、スロット２０Ａにメモリカード１４が接続された場合を示しており、スロット２０Ａにメモリカード１４が接続されていることを示す画像と共に、メモリカード１４へのアクセスの状態を示す画像がディスプレイ２５に表示される。
【００４０】
一方、図４（Ｂ）は、スロット２０Ａにメモリカード１４が接続されている状態で、メモリカード検出部５２によって他のスロット２０にメモリカード１４が接続されたことが検出された場合に、上記警告情報として、２つ以上のメモリカード１４がスロット２０に接続されていること、及び後にスロット２０に接続したメモリカード１４を抜き取ることをユーザに促すことを示す画像がディスプレイ２５に表示される。
【００４１】
次に、図５を参照して、本第１の実施の形態に係る画像形成装置１０の作用を説明する。なお、同図は、メモリカード検出部５２によってスロット２０にメモリカード１４が接続されたことが検出され、ＣＰＵ３０にハイレベルのメモリカード検出信号が入力された場合に、ＣＰＵ３０によって実行される電力供給制御プログラムの処理の流れを示すフローチャートであり、当該プログラムはＲＯＭ３２の所定領域に予め記憶されている。
【００４２】
まずステップ１００では、ハイレベルのメモリカード検出信号を出力したメモリカード検出部５２を設けたスロット２０とは異なる、他のスロット２０に設けられたメモリカード検出部５２から、ハイレベルのメモリカード検出信号が入力されるまで待ち状態となる。
【００４３】
次のステップ１０２では、他のスロット２０への電力の供給を停止させるための電力供給停止信号をメモリカード制御部４４へ出力する。メモリカード制御部４４は、上記電力供給停止信号が入力されると、上記他のスロット２０への電力の供給を停止する。
【００４４】
なお、このとき、本実施の形態に係る操作部２６のディスプレイ２５には、上述した図４（Ｂ）に示した画像が表示される。
【００４５】
次のステップ１２０では、電力が供給されているスロット２０からメモリカード１４が抜き取られたか否かを判定し、肯定判定となった場合はステップ１２４へ移行し、否定判定となった場合はステップ１２２へ移行する。なお、本ステップでは、電力が供給されているスロット２０に設けられたメモリカード検出部５２から出力されるメモリカード検出信号が、ハイレベルからローレベルに変化した場合を上記スロット２０からメモリカード１４が抜き取られた場合と判定する。
【００４６】
ステップ１２２では、上記ハイレベルのメモリカード検出信号を出力したメモリカード検出部５２を設けたスロット２０とは異なる、他のスロット２０に設けられたメモリカード検出部５２から、ハイレベルのメモリカード検出信号が入力されたか否かを判定し、肯定判定となった場合はステップ１０２へ移行し、否定判定となった場合はステップ１２０へ戻る。
【００４７】
ステップ１２４では、電力の供給が停止されているスロット２０への電力の供給を開始させるために電力供給開始信号をメモリカード制御部４４へ出力し、本プログラムを終了する。なお、メモリカード制御部４４は、上記電力供給開始信号が入力されると、上記電力の供給が停止されているスロット２０への電力の供給を開始する。
【００４８】
以上詳細に説明したように、本第１の実施形態に係る画像形成装置１０によれば、不揮発性で情報の書き換えが可能な可搬型の記憶媒体（ここでは、メモリカード１４）が接続可能で、かつ接続された上記記憶媒体を動作させるための電力が予め供給されると共に供給された当該電力の停止が可能とされる複数の接続手段（ここでは、スロット２０）と、前記複数の接続手段の各々に上記記憶媒体が接続されたか否かを検出する検出手段（ここでは、メモリカード検出部５２）と、が備えられ、制御手段（ここでは、ＣＰＵ３０）により、検出手段によって接続手段に上記記憶媒体が接続されたことが検出された場合に、上記記憶媒体が接続された接続手段の何れか１つの接続手段への上記電力の供給を維持し、かつ他の接続手段に供給された上記電力を停止するように制御されるので、上記記憶媒体が複数接続された場合でも、上記記憶媒体の誤動作を抑制することができる。
【００４９】
また、本第１の実施形態に係る画像形成装置１０によれば、制御手段が、検出手段によって接続手段に上記記憶媒体が接続されたことが検出された後に、検出手段によって他の接続手段に上記記憶媒体が接続されたことが検出された場合に、先に検出手段によって上記記憶媒体が接続されたことが検出された何れか１つの接続手段への上記電力の供給を維持し、かつ後に検出手段によって記憶媒体が接続されたことが検出された他の接続手段に供給された電力を停止するように制御するので、複数の上記記憶媒体が接続された場合でも、より確実に、上記記憶媒体の誤動作を抑制することができる。
【００５０】
更に、本第１の実施形態に係る画像形成装置１０によれば、制御手段によって、検出手段によって接続手段に上記記憶媒体が接続されたことが検出された後に、検出手段によって他の接続手段に上記記憶媒体が接続されたことが検出された場合に、警告を示す情報を報知する報知手段（ここでは、操作部２６）を更に備えたので、複数の記憶媒体を接続しても、先に接続した上記記憶媒体にしかアクセスすることができないことを、ユーザが容易に確認することができる。
【００５１】
なお、本第１の実施の形態では、先にメモリカード１４が接続されたことが検出されたスロット２０から、当該メモリカード１４が抜き取られた場合に、電力の供給が停止されている他のスロット２０への電力の供給を開始する場合について説明したが、本発明はこれに限定されるものではなく、例えば、後にメモリカード１４が接続されたことが検出され、電力の供給が停止された他のスロット２０から、当該メモリカード１４を抜き取る毎に、当該他のスロット２０への電力の供給を開始する形態としてもよい。この場合も、上記実施の形態と同様の効果を奏することができる。
【００５２】
［第２の実施の形態］
本第２の実施の形態では、スロット２０にメモリカード１４が接続されたことが検出された場合に、メモリカード１４が接続された何れか１つのスロット２０への電力の供給を維持し、かつメモリカード１４が接続されたことが検出されていない他のスロット２０に供給された電力を停止する場合の形態例について説明する。
【００５３】
なお、本第２の実施の形態に係る画像形成装置１０の外観上の構成及び電気系の要部構成は、第１の実施の形態に係るもの（図１〜図３参照。）と同様であるので説明を省略する。
【００５４】
本第２の実施の形態に係る電力供給制御処理は、メモリカード検出部５２によってスロット２０にメモリカード１４が接続されたことが検出された場合に、メモリカード１４が接続された何れか１つのスロット２０への電力の供給を維持し、かつメモリカード検出部５２によってメモリカード１４が接続されたことが検出されていない他のスロット２０に供給された電力を停止させる。
【００５５】
次に、図６を参照して、本第２の実施の形態に係る画像形成装置１０の作用を説明する。なお、同図は、メモリカード検出部５２によってスロット２０にメモリカード１４が接続されたことが検出され、ＣＰＵ３０にハイレベルのメモリカード検出信号が入力された場合に、ＣＰＵ３０によって実行される電力供給制御プログラムの処理の流れを示すフローチャートであり、当該プログラムはＲＯＭ３２の所定領域に予め記憶されている。また、第１の実施の形態に係る図５のフローチャートと同一の処理を行なうステップについては図５と同一の符号を付して説明を省略する。
【００５６】
ステップ１１０では、入力されたハイレベルのメモリカード検出信号が、スロット２０Ａに設けられたメモリカード検出部５２から出力されたメモリカード検出信号であるか否かを判定し、肯定判定となった場合はステップ１１２へ移行する一方、否定判定となった場合はステップ１１４へ移行する。
【００５７】
ステップ１１２では、スロット２０Ｂ，２０Ｃへの電力の供給を停止させるための電力供給停止信号をメモリカード制御部４４へ出力し、ステップ１２０’へ移行する。なお、メモリカード制御部４４は、上記電力供給停止信号が入力されると、スロット２０Ｂ，２０Ｃへの電力の供給を停止する。
【００５８】
ステップ１１４では、入力されたハイレベルのメモリカード検出信号が、スロット２０Ｂに設けられたメモリカード検出部５２から出力されたメモリカード検出信号であるか否かを判定し、肯定判定となった場合はステップ１１６へ移行する一方、否定判定となった場合はステップ１１８へ移行する。
【００５９】
ステップ１１６では、スロット２０Ａ，２０Ｃへの電力の供給を停止させるための電力供給停止信号をメモリカード制御部４４へ出力し、ステップ１２０’へ移行する。なお、メモリカード制御部４４は、上記電力供給停止信号が入力されると、スロット２０Ａ，２０Ｃへの電力の供給を停止する。
【００６０】
ステップ１１８では、スロット２０Ａ，２０Ｂへの電力の供給を停止させるための電力供給停止信号をメモリカード制御部４４へ出力し、ステップ１２０’へ移行する。なお、メモリカード制御部４４は、上記電力供給停止信号が入力されると、スロット２０Ａ，２０Ｂへの電力の供給を停止する。
【００６１】
ステップ１２０’では、電力が供給されているスロット２０からメモリカード１４が抜き取られるまで待ち状態となる。
【００６２】
以上詳細に説明したように、本第２の実施形態に係る画像形成装置１０によれば、制御手段（ここでは、ＣＰＵ３０）が、検出手段（ここでは、メモリカード検出部５２）によって接続手段（ここでは、スロット２０）に記憶媒体（ここでは、メモリカード１４）が接続されたことが検出された場合に、上記記憶媒体が接続された何れか１つの接続手段への電力の供給を維持し、かつ検出手段によって上記記憶媒体が接続されたことが検出されていない他の接続手段に供給された電力を停止するように制御するので、複数の上記記憶媒体が接続された場合でも、より確実に、上記記憶媒体の誤動作を抑制することができる。
【００６３】
以上、本発明を上記各実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００６４】
また、上記各実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記各実施の形態に示される全構成要件から幾つかの構成要件が削除されても、効果が得られる限りにおいて、この幾つかの構成要件が削除された構成が発明として抽出され得る。
【００６５】
例えば、上記各実施の形態では、本発明を画像形成装置に適用した場合について説明したが、本発明はこれに限定されるものではなく、本発明を複数のスロット２０を有するテレビ、デジタルフォトフレーム等の画像表示装置、複数のスロット２０を有するデジタルカメラ、複数のスロット２０を有する携帯型端末装置等、他の装置に適用する形態としてもよい。この場合も、上記実施の形態と同様の効果を奏することができる。
【００６６】
また、上記各実施の形態では、操作部２６に備えられたディスプレイ２５が上述した警告情報に基づいた画像を表示する場合について説明したが、本発明はこれに限定されるものではなく、図７に示すように画像形成装置１０がスピーカ８０を備え、スピーカ８０が上記警告情報に基づいた音声を出力する形態としてもよい。この形態において、例えば、スロット２０Ａにメモリカード１４が接続された場合は、上記警告情報として、スロット２０Ｂ，２０Ｃへのメモリカード１４の接続はできない旨を示す音声がスピーカ８０から出力される。この場合も、上記実施の形態と同様の効果を奏することができる。
【００６７】
また、上記各実施の形態では、画像形成装置１０が３つのスロット２０を備えた場合について説明したが、本発明はこれに限定されるものではなく、画像形成装置１０が２つのスロット２０を備える形態、４つ以上のスロット２０を備える形態等、画像形成装置１０に複数のスロット２０が備えられる形態であればよい。また、スロット２０Ａ，２０Ｂとで同じ寸法のメモリカード１４が接続される等、異なるスロット２０で同じ寸法のメモリカード１４が接続されてもよい。この場合も、上記実施の形態と同様の効果を奏することができる。
【００６８】
また、上記各実施の形態では、メモリカード検出部５２として、マイクロスイッチを備えたものを適用した場合について説明したが、本発明はこれに限定されるものではなく、メモリカード検出部５２として、例えば、光を照射するＬＥＤ（Light Emitting Diode）と、メモリカード１４がスロット２０に挿入された場合に、ＬＥＤから照射されてメモリカード１４の表面で反射された光をメモリカード１４の表面に対し所定の角度で受光するフォトダイオードと、を含むフォトセンサを備えたものを適用する形態等としてもよい。この場合も、上記実施の形態と同様の効果を奏することができる。
【００６９】
その他、上記各実施の形態で説明した画像形成装置１０の構成（図１〜３参照。）は一例であり、本発明の主旨を逸脱しない範囲内において不要な部分を削除したり、新たな部分を追加したりすることができることは言うまでもない。
【００７０】
また、上記各実施の形態で説明した電力供給制御プログラムの処理の流れ（図５及び図６参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００７１】
【図１】実施の形態に係る画像形成装置の外観図である。
【図２】実施の形態に係る画像形成装置の電気系の要部構成を示すブロック図である。
【図３】実施の形態に係るスロットの断面図である。
【図４】実施の形態に係るスロットにメモリカードが接続された場合に操作部のディスプレイに表示される画像の一例を示す図である。
【図５】第１の実施の形態に係る電力供給制御プログラムの処理の流れを示すフローチャートである。
【図６】第２の実施の形態に係る電力供給制御プログラムの処理の流れを示すフローチャートである。
【図７】他の形態に係る画像形成装置の外観図である。
【符号の説明】
【００７２】
１０    画像形成装置
１４    メモリカード（記憶媒体）
２０Ａ  スロット（接続手段）
２０Ｂ  スロット（接続手段）
２０Ｃ  スロット（接続手段）
２５    ディスプレイ（報知手段、画像表示装置）
３０    ＣＰＵ（制御手段）
５２    メモリカード検出部（検出手段）
８０    スピーカ（報知手段、音声出力装置）
【図１】
2010076337.tif 000003
【図２】
2010076337.tif 000004
【図３】
2010076337.tif 000005
【図４】
2010076337.tif 000006
【図５】
2010076337.tif 000007
【図６】
2010076337.tif 000008
【図７】
2010076337.tif 000009